(57)【要約】      （修正有）【課題】目地部が狭くなるように地震で左右の建物が揺れ動いた場合、天井目地カバーが傾斜状になるのを最小限にして、天井目地カバーの先端部が侵入する建物側に大きな空間がなくても設置することができる天井用目地装置を提供する。【解決手段】一方の建物３の躯体に吊り下げ固定された天井材７と、他方の建物３の目地部側壁面３ａに取付けられた天井目地カバー支持具１０と、先端部が天井材７の先端部と接触し、天井材７と天井目地カバー支持具１０との間の目地部２を水平状態で覆う天井目地カバー１１と、天井目地カバー１１が脱落するのを防止し傾斜面８をスライド移動できるワイヤーロープを用いた保持具１２と、天井目地カバー１１を水平状態に保持するとともに天井目地カバー１１の移動を阻止しないように他方の建物３の目地部側壁面３ａに伸縮アーム１４を介して取付けられた天井目地カバー吊り下げ具１７と、で天井用目地装置１を構成する。【選択図】図２
2013155482.tif 000002
【特許請求の範囲】
【請求項１】
目地部を介して建てられた左右の建物の、一方の建物の天井部位の躯体に吊り下げ具によって吊り下げ固定された先端部が目地部側端部まで位置し、下部が目地部方向に突出する傾斜面に形成された天井材と、この天井材の先端部と対応する部位の他方の建物の目地部側壁面に取付けられた下部が目地部方向に突出する傾斜面と支持部が形成された天井目地カバー支持具と、この天井目地カバー支持具の支持部に後端部が支持され、先端部が前記天井材の先端部と接触し、該天井材と天井目地カバー支持具との間の目地部を水平状態で覆う天井目地カバーと、前記天井目地カバー支持具の上部位置の前記他方の建物の目地部側壁面に取付けられた前記天井目地カバーが、該天井目地カバー支持具の支持部より脱落するのを防止し、傾斜面をスライド移動できるワイヤーロープを用いた保持具と、前記天井目地カバーの先端部寄りの部位あるいは中央部寄りの部位に取付けられた、該天井目地カバーを水平状態に保持するとともに、地震で目地部が狭くなると天井目地カバーの移動を阻止しないように、前記他方の建物の目地部側壁面に伸縮アームあるいは回動アームを介して取付けられた天井目地カバー吊り下げ具とからなることを特徴とする天井用目地装置。
【請求項２】
伸縮アームは伸縮できるように接続された複数本のパイプ材をスプリングによって、常時突出するように構成されたものを使用するとともに、一端部が他方の建物の目地部側壁面に取付けられ、他端部が一方の建物の目地部側壁面あるいは障害物に当接するように設けられていることを特徴とする請求項１記載の天井用目地装置。
【請求項３】
伸縮アームは一端部が他方の建物の目地部側壁面に取付けられ、他端部が一方の建物の目地部側壁面あるいは障害物に取付けられたパンタグラフ形状のリンク機構で構成されていることを特徴とする請求項１記載の天井用目地装置。
【請求項４】
回動アームは一端部が他方の建物の目地部側壁面に水平方向に回動可能に取付けられ、所定量回動した他端部が一方の建物の目地部側壁面あるいは障害物に当接する回動アーム本体と、この回動アーム本体の他端部を常時一方の建物の目地部側壁面あるいは障害物に当接するように付勢する付勢スプリングとで構成されていることを特徴とする請求項１記載の天井用目地装置。
【発明の詳細な説明】
【技術分野】
【０００１】
本発明は目地部を介して設けられた左右の建物の天井部分の目地部を覆う天井用目地装置に関する。
【背景技術】
【０００２】
従来、この種の天井用目地装置は地震で目地部が狭くなるように左右の建物が揺れ動いた場合、目地部を覆っていた天井目地カバーの先端部を、天井材を乗り上げ、上方へ回動させてその揺れ動きを吸収するように構成されていた。
このため、目地部が狭くなる場合に、天井目地カバーが傾斜面となり見苦しくなるとともに、目地部が狭くなればなる程、天井目地カバーの先端部が上方へ大きく突出し、該天井目地カバーの先端部側の建物の躯体に衝突したりするため、該部位に大きな空間がないと設置することができないという欠点があった。
【先行技術文献】
【特許文献】
【０００３】
【特許文献１】特許第３４０８１８１号公報
【発明の概要】
【発明が解決しようとする課題】
【０００４】
本発明は以上のような従来の欠点に鑑み、目地部が狭くなるように地震で左右の建物が揺れ動いた場合、天井目地カバーが傾斜状になるのを最小限にして、水平状態に位置させ、見苦しくなるのを効率よく阻止するとともに、天井目地カバーの先端部が侵入する建物側に大きな空間がなくても設置することができる天井用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して建てられた左右の建物の、一方の建物の天井部位の躯体に吊り下げ具によって吊り下げ固定された先端部が目地部側端部まで位置し、下部が目地部方向に突出する傾斜面に形成された天井材と、この天井材の先端部と対応する部位の他方の建物の目地部側壁面に取付けられた下部が目地部方向に突出する傾斜面と支持部が形成された天井目地カバー支持具と、この天井目地カバー支持具の支持部に後端部が支持され、先端部が前記天井材の先端部と接触し、該天井材と天井目地カバー支持具との間の目地部を水平状態で覆う天井目地カバーと、前記天井目地カバー支持具の上部位置の前記他方の建物の目地部側壁面に取付けられた前記天井目地カバーが、該天井目地カバー支持具の支持部より脱落するのを防止し、傾斜面をスライド移動できるワイヤーロープを用いた保持具と、前記天井目地カバーの先端部寄りの部位あるいは中央部寄りの部位に取付けられた、該天井目地カバーを水平状態に保持するとともに、地震で目地部が狭くなると天井目地カバーの移動を阻止しないように、前記他方の建物の目地部側壁面に伸縮アームあるいは回動アームを介して取付けられた天井目地カバー吊り下げ具とで天井用目地装置を構成している。
【発明の効果】
【０００７】
以上の説明から明らかなように、本発明にあっては次に列挙する効果が得られる。
（１）請求項１により、目地部が狭くなるように左右の建物が揺れ動いた場合、天井材の傾斜面と天井目地カバー支持具の傾斜面によって、天井目地カバーをほぼ水平状態で上方へ押し上げることができる。
したがって、天井目地カバーが傾斜状態となるのを最小限にして水平状態となるようにでき、見苦しくなるのを防止することができる。  
（２）前記（１）によって、天井目地カバーをほぼ水平状態で上方へ押し上げることができるので、従来のように天井目地カバーの先端部が上方へ突出するのを防止することができる。
したがって、天井目地カバーの先端部側の建物に大きな空間がない所にも、容易に設置することができる。
（３）前記（１）によって、天井目地カバーを天井目地カバー支持具、保持具および伸縮アームあるいは回動アームを介した天井目地カバー吊り下げ具で取付けるので、構造が簡単で、容易に設置することができる。
（４）請求項２も前記（１）〜（３）と同様な効果が得られるとともに、天井目地カバーを目地部が広くなる場合でも、確実に水平状態となるように支持し、目地部が狭くなる場合には天井目地カバーの移動を阻止しないように支持することができる。
（５）請求項３も前記（１）〜（４）と同様な効果が得られる。
（６）請求項４も前記（１）〜（４）と同様な効果が得られる。
【図面の簡単な説明】
【０００８】
【図１】本発明を実施するための第１の形態の平面図。
【図２】図１の２−２線に沿う断面図。
【図３】図１の３−３線に沿う断面図。
【図４】本発明を実施するための第１の形態の目地部が少し狭くなった状態の説明図。
【図５】本発明を実施するための第１の形態の目地部が狭くなった状態の説明図。
【図６】本発明を実施するための第１の形態の目地部が広くなった状態の説明図。
【図７】本発明を実施するための第２の形態の平面図。
【図８】図７の８−８線に沿う断面図。
【図９】本発明を実施するための第２の形態の目地部が狭くなった動作説明図。
【図１０】本発明を実施するための第３の形態の平面図。
【図１１】図１０の１１−１１線に沿う断面図。
【図１２】本発明を実施するための第３の形態の目地部が狭くなった動作説明図。
【図１３】本発明を実施するための第４の形態の平面図。
【図１４】図１３の１４−１４線に沿う断面図。
【図１５】本発明を実施するための第４の形態の目地部が狭くなった動作説明図。
【図１６】本発明を実施するための第５の形態の平面図。
【図１７】図１６の１７−１７線に沿う断面図。
【図１８】本発明を実施するための第５の形態の目地部が狭くなった動作説明図。
【図１９】本発明を実施するための第6の形態の平面図。
【図２０】図１９の２０−２０線に沿う断面図。
【図２１】本発明を実施するための第６の形態の目地部が狭くなった動作説明図。
【図２２】本発明を実施するための第7の形態の平面図。
【図２３】図２２の２３−２３線に沿う断面図。
【図２４】本発明を実施するための第７の形態の目地部が狭くなった動作説明図。
【発明を実施するための形態】
【０００９】
以下、図面に示す本発明を実施するための形態により、本発明を詳細に説明する。
【００１０】
図１ないし図６に示す本発明を実施するための第１の形態において、１は目地部２を介して設けられた左右の建物３、３の天井部位の目地部を覆う本発明の天井用目地装置で、この天井用目地装置１は一方の建物３の目地部２側に下方へ突出する梁、目地部側壁面、突出躯体等の障害物４が形成され、かつ下部が該障害物４の下部より下方に位置する吊り下げ具５によって吊り下げ固定された先端部が目地部２側端部まで位置し、下部が目地部方向へ突出するα角度の傾斜面６が形成された天井材７と、この天井材７の先端部と対応する部位の他方の建物３の目地部側壁面３ａに取付けられた下部が目地部方向に突出し、前記α角度の傾斜面６よりも小さなβ角度の傾斜面８と支持部９が形成された天井目地カバー支持具１０と、この天井目地カバー支持具１０の支持部９に後端部が支持され、先端部が前記天井材７の先端部と接触し、該天井材７と天井目地カバー支持具１０との間の目地部を水平状態で覆う天井目地カバー１１と、前記天井目地カバー支持具１０の上部位置の前記他方の建物３の目地部側壁面３ａに取付けられた前記天井目地カバー１１が、該天井目地カバー支持具１０の支持部９より脱落するのを防止し、β角度の傾斜面８をスライド移動できるチエーン、ワイヤーやロープを用いた保持具１２と、前記天井目地カバー１１の背面の中央部と両側部との間の先端部と後端部寄りの部位に取付けられたチャンネル状の支持アーム１３、１３、この支持アーム１３、１３の上部位置に位置するように、後端部が前記他方の建物３の目地部側壁面３ａに固定され、先端部が前記障害物４に当接するように取付けられた、通常時に該障害物４に当接するまで伸長する伸縮アーム１４、１４と、この伸縮アーム１４、１４の先端部のアーム１４ａ、１４ａに上端部が取付けられ、下端部が前記支持アーム１３、１３にスライド移動可能に取付けられたリング１５、１５を介して取付けられた吊り下げワイヤーあるいはロープの吊り下げ体１６、１６とからなる天井目地カバー吊り下げ具１７、１７とで構成されている。
【００１１】
前記伸縮アーム１４、１４は前記他方の建物３の目地部側壁面３ａに後端部が固定される固定筒１８と、この固定筒１８の先端部より出没するようにスライド移動可能に取付けられた複数個、本実施の形態では２個の可動アーム１４ａ、１４ｂと、この可動アーム１４ａ、１４ｂを常時前記固定筒１８より突出するように付勢する付勢スプリング１９とで構成されている。
【００１２】
上記構成の天井用目地装置１は、通常状態では図１および図２に示すように天井目地カバー１１は天井目地カバー支持具１０の支持部９および天井目地カバー吊り下げ具１７によって支持され、ほぼ水平状態で天井目地部２を覆っている。
【００１３】
地震で天井目地部２が狭くなるように左右の建物３、３が揺れ動くと、まず、図４に示すように天井目地カバー１１は一方の建物３の天井材７の先端部と他方の建物３の目地部側壁面３ａとの間隔が小さくなり、天井材７の先端部のα角度の傾斜面６と接触する天井目地カバー１１の先端部との抵抗よりも、天井目地カバー１１の後端部と接触するβ角度の傾斜面８の天井目地カバー支持具１０との抵抗が小さいため、天井目地カバー１１の後端部が天井目地カバー支持具１０のβ角度の傾斜面８をスライド移動し、天井目地カバー１１の後端部が他方の建物３の目地部側壁面３ａに当接し、天井目地カバー１１の先端部を天井材７の先端部のα角度の傾斜面６をスライド移動し、天井目地カバー１１の先端部を天井材７上へ乗り上げ、天井目地カバー１１をほぼ水平状態に位置させる。
【００１４】
この状態で、さらに天井目地部２が狭くなると、図５に示すように天井目地カバー１１の先端部が天井材７に乗り上げた、重なり合う部分が大きくなって、その揺れ動きを吸収する。
【００１５】
地震で天井目地部２が広くなるように左右の建物３、３が揺れ動くと、図６に示すように天井目地カバー１１を天井目地カバー支持具１０の支持部９および天井目地カバー吊り下げ具１７によってほぼ水平状態を保って、一方の建物３の目地部側端部より離れるように移動して、その揺れ動きを吸収する。
【００１６】
なお、地震の揺れ動きが停止すると、元の状態へ自動的に戻り、左右の建物３、３間の天井目地部２を天井目地カバー１１で覆った状態となっている。
【００１７】
[発明を実施するための異なる形態]
次に、図７ないし図２４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図７ないし図９に示す本発明を実施するための第２の形態において、前記本発明を実施するための第１の形態と主に異なる点は、パンタグラフ形状の伸縮アーム１４Ａを用いた天井目地カバー吊り下げ具１７Ａを用いた点で、このような天井目地カバー吊り下げ具１７Ａを用いて構成した天井用目地装置１Ａにしても、前記本発明を実施するための第１の形態と同様な作用効果が得られる。
【００１９】
なお、前記伸縮アーム１４Ａはパンタグラフ形状の伸縮リンク２０と、この伸縮リンク２０を常時伸長方向に付勢するリンク２０ａ、２０ａに取付けられた付勢スプリング２１、２１と、前記伸縮リンク２０が所定量以上伸長するのを阻止するように、前記リンク２０ａ、２０ａに取付けられたストッパー２２、２２とで構成されている。
【００２０】
図１０ないし図１２に示す本発明を実施するための第３の形態において、前記本発明を実施するための第１の形態と主に異なる点は、一端部が他方の建物３の目地部側壁面３ａに先端部が水平方向に回動可能に後端部がヒンジ部材２３で取付けられた複数個の回動アーム本体２４と、この複数個の回動アーム本体２４の先端部を常時前記一方の建物３の障害物４に所定の角度で当接するようにそれぞれ付勢する付勢スプリング２５と、前記複数個の回動アーム本体２４の先端部の底面に取付けられた吊り下げ体１６をスライド移動可能に支持する支持レール２６と、前記回動アーム本体２４が所定量以上回動するのを阻止するストッパー２７とからなる回動アーム２８を使用する天井目地カバー吊り下げ具１７Ｂを用いた点で、このような天井目地カバー吊り下げ具１７Ｂを用いて構成した天井用目地装置１Ｂにしても、前記本発明を実施するための第１の形態と同様な作用効果が得られる。
【００２１】
図１３ないし図１５に示す本発明を実施するための第４の形態において、前記本発明を実施するための第１の形態と主に異なる点は、天井目地カバー支持具１０の上部位置の他方の建物３の目地部側壁面３ａに先端部が目地部の中央部に位置するように、ほぼ水平に取付けられたアーム２９、２９と、このアーム２９、２９の先端部に上端部が取付けられ、下端部が天井目地カバー１１の中央部より前方部位に取付けられたワイヤーやロープ等の吊り下げ体１６、１６とからなる天井目地カバー吊り下げ具１７Ｃを用いるとともに、障害物のない一方の建物３に設置した点で、このように構成した天井用目地装置１Ｃにしても、前記本発明を実施するための第１の形態と同様な作用効果が得られる。
【００２２】
図１６ないし図１８に示す本発明を実施するための第５の形態において、前記本発明を実施するための第４の形態と主に異なる点は、アーム２９、２９の先端部と天井目地カバー１１の先端部寄りの部位との間に、前記アーム２９、２９と取付ける部位に長孔３０が形成された、該天井目地カバー１１が上方への移動ができるリンク３１を用いた吊り下げ体１６Ａを用いる天井目地カバー吊り下げ具１７Ｄを用いた点で、このような天井目地カバー吊り下げ具１７Ｄを用いた天井用目地装置１Ｄにしても、前記本発明を実施するための第４の形態と同様な作用効果が得られる。
【００２３】
図１９ないし図２１に示す本発明を実施するための第６の形態において、前記本発明を実施するための第１の形態と主に異なる点は、所定間隔で数ミリメートルだけ下方へ突出するブレード３２を左右方向に配置した天井目地カバー１１Ａを用いた点で、このような天井目地カバー１１Ａを用いた天井用目地装置１Ｅにしても、前記本発明を実施するための第１の形態と同様な作用効果が得られるとともに、地震で目地部が狭くなるように左右の建物３、３が揺れ動いても、天井材７の上面と天井目地カバー１１Ａの複数個のブレード３２だけが接触して、天井目地カバー１１Ａの底面の化粧板が損傷するのを効率よく阻止することができる。
【００２４】
図２２ないし図２４に示す本発明を実施するための第７の形態において、前記本発明を実施するための第２の形態と主に異なる点は、四角枠が一個形成される
パンタグラフ形状の伸縮アーム１４Ｂを用い、該伸縮アーム１４Ｂの先端部に吊り下げ体１６を取付けた天井目地カバー吊り下げ具１７Ｅを用いた点で、このような天井目地カバー吊り下げ具１７Ｅを用いて構成した天井用目地装置１Ｆにしても、前記本発明を実施するための第２の形態と同様な作用効果が得られる。
【００２５】
本発明の実施の形態では伸縮アーム１４Ｂが必要以上に伸張するのを防止するために、ストッパー２２と、ロープやワイヤー２２Ａを用いたものについて説明したが、本発明はこれに限らず、いずれか一方だけを用いたものであっても同様な作用効果が得られる。
【００２６】
なお、本発明を実施するための各形態では天井目地カバーの先端部よりも後端部がスムーズに上方へ移動できるように傾斜面を設定したが、これに限らず、天井目地カバーの先端部よりも後端部がスムーズに移動できるような抵抗値に設定してもよい。
また、前記本発明を実施するための各形態では伸縮アーム１４、１４Ａおよび回動アーム２８を２個設置したものについて説明したが、本発明はこれに限らず、目地部の幅寸法が長い場合には２個以上の複数個の伸縮アーム１４、１４Ａおよび回動アーム２８を設置して、十分な強度が得られるようにしても良い。
【産業上の利用可能性】
【００２７】
本発明は目地部を介して設けられた左右の建物の天井目地部を覆う天井用目地装置を製造する産業で利用される。
【符号の説明】
【００２８】
１、１Ａ、１Ｂ、１Ｃ、１Ｄ、１Ｅ、１Ｆ：天井用目地装置、
２：目地部、        ３：建物、
４：障害物、          ５：吊り下げ具、  
６：α角度の傾斜面、    ７：天井材、
８：β角度の傾斜面、    ９：支持部、
１０：天井目地カバー支持具、  １１、１１Ａ：天井目地カバー、
１２：保持具、      １３：支持アーム、
１４、１４Ａ、１４Ｂ：伸縮アーム、
１５：リング、                １６、１６Ａ：吊り下げ体、
１７、１７Ａ、１７Ｂ、１７Ｃ、１７Ｄ、１７Ｅ：天井目地カバー吊り下げ具、
１８：固定筒、      １９：付勢スプリング、
２０：伸縮リンク、      ２１：付勢スプリング、
２２：ストッパー、      ２３：ヒンジ部材、
２４：回動アーム本体、    ２５：付勢スプリング、
２６：支持レール、      ２７：ストッパー、
２８：回動アーム、      ２９：アーム、
３０：長孔、        ３１：リンク、
３２：ブレード。
【図１】
2013155482.tif 000003
【図２】
2013155482.tif 000004
【図３】
2013155482.tif 000005
【図４】
2013155482.tif 000006
【図５】
2013155482.tif 000007
【図６】
2013155482.tif 000008
【図７】
2013155482.tif 000009
【図８】
2013155482.tif 000010
【図９】
2013155482.tif 000011
【図１０】
2013155482.tif 000012
【図１１】
2013155482.tif 000013
【図１２】
2013155482.tif 000014
【図１３】
2013155482.tif 000015
【図１４】
2013155482.tif 000016
【図１５】
2013155482.tif 000017
【図１６】
2013155482.tif 000018
【図１７】
2013155482.tif 000019
【図１８】
2013155482.tif 000020
【図１９】
2013155482.tif 000021
【図２０】
2013155482.tif 000022
【図２１】
2013155482.tif 000023
【図２２】
2013155482.tif 000024
【図２３】
2013155482.tif 000025
【図２４】
2013155482.tif 000026